(57)【特許請求の範囲】
【請求項１】
高架橋に排水管を固定する排水管取付金具であって、
排水管の外周を囲み支持する支持部材と、
この支持部材を高架橋に対して所定の間隔を開けて配設するための配設部材と、
前記支持部材を前記配設部材に接続する接続部材とを備え、
前記配設部材は、一方向に伸長され、伸長方向に対して垂直方向の断面形状がＬ字状であり、前記接続部材が取り付けられる伸長部と、一方向に対して垂直方向に伸長され、伸長方向に対して垂直方向の断面形状がＬ字状であり、前記伸長部を高架橋に取り付ける取付部とを有し、
前記伸長部には、前記接続部材を固定するための伸長部開口が伸長方向に沿って複数設けられ、前記伸長部開口は、伸長方向に伸長して形成された
ことを特徴とする排水管取付金具。
【請求項２】
前記支持部材と前記接続部材との接続を補助する楔形の補助部材を備え、
前記支持部材は、一対の相対する半円状の緊締部を有し、この一対の緊締部は、一端側が互いに接近又は離間するように他端側において回動可能に接合され、一端側には支持ボルト孔が設けられた突片が相対してそれぞれ延設されており、
前記接続部材は、一端側に前記支持部材と接続する支持部材接続部が設けられ、他端側に前記配設部材と接続する配設部材接続部が設けられ、前記支持部材接続部には、前記支持ボルト孔に対応して支持接続ボルト孔が設けられ、
前記補助部材は、幅が広い方を前記突片の先端側に対応させ、幅が狭い方を前記突片の基端側に対応させて配設され、
前記補助部材には、前記支持ボルト孔に対応して補助ボルト孔が設けられ、
前記突片、前記支持部材接続部、及び、前記補助部材は、重ね合わせて、前記支持ボルト孔、前記支持接続ボルト孔、及び、前記補助ボルト孔に支持接続ボルトを貫通させることにより固定される
ことを特徴とする請求項１記載の排水管取付金具。
【請求項３】
前記支持ボルト孔は、前記突片の突出方向に２個並べて設けられたことを特徴とする請求項１又は請求項２記載の排水管取付金具。
【発明の詳細な説明】
【技術分野】
【０００１】
本発明は、排水管を高架橋の橋台又は橋脚などに固定するための排水管取付金具に関する。
【背景技術】
【０００２】
高速道路等の高架橋には、高架橋上面の雨水等を下方に排水するための排水管が橋台又は橋脚に沿って配設されている。排水管は、例えば、ポリ塩化ビニルなどのプラスチックにより構成されているが、ポリ塩化ビニルの熱膨張係数は、橋台及び橋脚を構成するコンクリートの約７倍であるため、温度変化による影響を受けやすい。そこで、排水管を橋台又は橋脚に固定する際には、例えば、排水管と橋台又は橋脚との間に所定の距離を開け、かつ、排水管取付金具を排水管の長さ方向に所定の間隔を開けて取り付けることにより、温度変化による排水管の歪みや撓みを吸収するようになっている。図６は、従来の排水管取付金具１０１の一構成例を表すものである。この排水管取付金具１０１は、排水管の外周に巻き付けて排水管を支持する支持部１１０と、支持部１１０を橋台又は橋脚から所定の距離を開けて橋台又は橋脚に取り付けるための配設部１２０とが一体的に形成されている。
【先行技術文献】
【特許文献】
【０００３】
【特許文献１】特開２０１４−９８２４１号公報
【発明の概要】
【発明が解決しようとする課題】
【０００４】
しかしながら、従来の排水管取付金具は、取付場所により配設部１２０の長さ、すなわち、排水管と橋台又は橋脚との間の距離が異なっていた。そのため、経年による腐食劣化により排水管取付金具を取り換える際には、取り換える排水管取付金具の配設部１２０の長さに合わせて排水管取付金具をそれぞれ用意しなければならず、手間がかかるという問題があった。
【０００５】
そこで、排水管を支持する支持部材を一対の配設部材の間に挟んで橋脚に配設し、配設部材の長さ方向に開口を伸長して設け、支持部材と橋脚との間の距離を調節可能とした排水管取付金具が提案されている（例えば、特許文献１参照）。この排水管取付金具によれば、排水管と高架橋との間の距離に合わせて支持部材の位置を調整することができるので、取付場所により長さの異なる排水管取付金具を用意する必要がない。しかし、特許文献１に記載の排水管取付金具は、部品点数が多いので取り付け作業が煩雑であり、また、汎用品ではなく、専用の部材を用意しなければならないので、費用が高くなるという問題があった。
【０００６】
本発明は、このような問題に基づきなされたものであり、排水管と高架橋との間の距離に合わせて取り付けることができ、かつ、費用を安価とすることができる排水管取付金具を提供することを目的とする。
【課題を解決するための手段】
【０００７】
本発明の排水管取付金具は、高架橋に排水管を固定する排水管取付金具であって、排水管の外周を囲み支持する支持部材と、この支持部材を高架橋に対して所定の間隔を開けて配設するための配設部材と、支持部材を配設部材に接続する接続部材とを備え、配設部材は、一方向に伸長され、伸長方向に対して垂直方向の断面形状がＬ字状であり、接続部材が取り付けられる伸長部と、一方向に対して垂直方向に伸長され、伸長方向に対して垂直方向の断面形状がＬ字状であり、伸長部を高架橋に取り付ける取付部とを有し、伸長部には、接続部材を固定するための伸長部開口が伸長方向に沿って複数設けられ、伸長部開口は、伸長方向に伸長して形成されたものである。
【発明の効果】
【０００８】
本発明の排水管取付金具によれば、伸長部と取付部とを有する配設部材を備え、伸長部には、接続部材を固定するための伸長部開口を伸長方向に沿って複数設け、伸長部開口は伸長方向に伸長して形成するようにしたので、排水管と高架橋との間の距離に合わせて接続部材及び支持部材の位置を調整することができる。よって、取付場所により長さの異なる排水管取付金具を用意する必要がなく、簡単に取り付けることができる。また、伸長部及び取付部の伸長方向に対して垂直方向の断面形状をＬ字状とするようにしたので、強度を向上させることができ、１本の配設部材で安定して配設することができる。よって、部品点数を削減することができ、取り付け作業を簡素化することができる。更に、配設部材に汎用のＬ型ブラケットを用いることができるので、費用を安価とすることができる。
【０００９】
加えて、楔形の補助部材を突片及び支持部材接続部と重ね合わせて支持接続ボルトで固定するようにしたので、突片と支持部材接続部との接続固定部分を面接合とすることができる。また、この接続固定部分の重ね合わせ方向の両端面を平行とすることができる。よって、突片と支持部材接続部とを支持接続ボルトにより強固に固定することができる。
【００１０】
更にまた、突片の突出方向に支持ボルト孔を２個並べて設けるようにしたので、支持部材が接続部材に対して回転することを防止することができ、より強固に固定することができる。
【図面の簡単な説明】
【００１１】
【図１】本発明の一実施の形態に係る排水管取付金具の断面構成を表す図である。
【図２】図１に示した排水管取付金具をＩＩ方向から見た構成を表す図である。
【図３】図１に示した排水管取付金具をＩＩＩ方向から見た構成を表す図である。
【図４】図３に示したＡ−Ａ線、又は、Ｂ−Ｂ線に沿った断面構成を表す図である。
【図５】図１に示した排水管取付金具の一部を取り出して表す図である。
【図６】従来の排水管取付金具の構成を表す図である。
【発明を実施するための形態】
【００１２】
以下、本発明の実施の形態について図面を参照して詳細に説明する。
【００１３】
図１は、本発明の一実施の形態に係る排水管取付金具１の断面構成を表すものである。図２は、排水管取付金具１をＩＩ方向から見た構成を表すものである。図３は、排水管取付金具１をＩＩＩ方向から見た構成を表すものである。図４は、図３に示したＡ−Ａ線、又は、Ｂ−Ｂ線に沿った断面構成を表すものである。図５は、排水管取付金具１の一部を取り出して表すものである。
【００１４】
この排水管取付金具１は、高架橋２に排水管３を固定するものであって、排水管３の外周を囲み支持する支持部材１０と、この支持部材１０を高架橋２に対して所定の間隔を開けて配設するための配設部材２０と、支持部材１０を配設部材２０に接続する接続部材３０とを備えている。排水管取付金具１は、例えば、高架橋２の橋台又は橋脚に対して配設される。支持部材１０、配設部材２０、及び、接続部材３０は、例えば、溶融亜鉛めっき鋼板又はステンレスにより構成することが好ましい。耐腐食性を向上させるためである。
【００１５】
支持部材１０は、例えば、一対の相対する半円状の緊締部１１を有している。この一対の緊締部１１は、一端側が互いに接近又は離間するように他端側において蝶番等により回動可能に接合されている。緊締部１１の内径の大きさは、排水管３の直径により異なるが、例えば、１５０ｍｍ又は２２０ｍｍ程度である。緊締部１１の高さ方向の幅は、例えば、３０ｍｍから５０ｍｍ程度が好ましい。各緊締部１１には、例えば、周方向に沿って、外側に突出するように設けられた突状部１２が少なくとも１つ設けられていることが好ましい。強度を向上させることができるからである。
【００１６】
各緊締部１１の一端側には、一対の突片１３が相対してそれぞれ延設されている。この一対の突片１３は、一対の緊締部１１の一端側を近づけた時に、突片１３の基端側には間隔が設けられ、先端側は接近するように斜めに形成されている。各突片１３には、支持接続ボルト１４を挿入するための支持ボルト孔１５がそれぞれ対応して設けられている。支持部材１０は、各突片１３を近づけて支持接続ボルト１４と支持接続ナット１６で固定することにより、排水管３に取り付けられるようになっている。支持ボルト孔１５は、各突片１３において、突片１３の突出方向に２個並べて設けられることが好ましい。
【００１７】
配設部材２０は、例えば、一方向に伸長され、接続部材３０が取り付けられる伸長部２１と、一方向に対して垂直方向に伸長され、伸長部２１を高架橋２に取り付ける取付部２２とを有している。伸長部２１の伸長方向に対して垂直方向の断面形状、及び、取付部２２の伸長方向に対して垂直方向の断面形状は、それぞれＬ字状であることが好ましい。強度を向上させることができ、１本の配設部材２０で安定して配設することができるからである。
【００１８】
伸長部２１には、接続部材３０を固定するための伸長部開口２１Ａが伸長方向に沿って複数設けられている。各伸長部開口２１Ａは、伸長部２１の伸長方向に伸長して形成されている。すなわち、各伸長部開口２１Ａは、伸長方向の長さが幅方向の長さよりも長くなるように形成されている。これにより、支持部材１０の配設位置を伸長部２１の長さ方向において調整することができるようになっている。各伸長部開口２１Ａの伸長方向の長さは、例えば、２５ｍｍから６０ｍｍ程度とすることが好ましい。各伸長部開口２１Ａは、伸長部２１のＬ字状の側部側のみに設けるようにしてもよいが、両方に設けられていてもよい。伸長部２１の長さは、例えば、１５０ｍｍから５００ｍｍ程度とすることが好ましい。
【００１９】
取付部２２は、伸長部２１の一端部に、伸長部２１に対して垂直方向に伸長して設けられている。取付部２２には、例えば、高架橋２に固定するための取付部開口２２Ａが設けられており、アンカーボルト２２Ｂにより高架橋２に固定することができるようになっている。取付部開口２２Ａは、伸長方向に沿って複数設けられることが好ましい。取付部開口２２Ａは、取付部２２のＬ字状の高架橋２との対向側のみに設けるようにしてもよいが、両方に設けられていてもよい。取付部２２の長さは、例えば、１００ｍｍから３００ｍｍ程度とすることが好ましい。
【００２０】
配設部材２０には、例えば、汎用のＬ型ブラケットを用いることが好ましい。汎用品を用いることにより費用を安価とすることができるからである。また、配設部材２０は、取付部２２を伸長部２１の下側に垂下させて高架橋２に取り付けられることが好ましい。取り付け強度を向上させることができるからである。
【００２１】
接続部材３０は、一端側に支持部材と接続する支持部材接続部３１が設けられ、他端側に配設部材２０と接続する配設部材接続部３２が設けられている。支持部材接続部３１は、例えば、板状部材により構成され、支持ボルト孔１５に対応して支持接続ボルト孔３１Ａが設けられている。配設部材接続部３２は、例えば、板状部材により構成され、支持部材接続部３１の一端部において支持部材接続部３１に対して垂直に形成されている。
【００２２】
配設部材接続部３２には、例えば、配設接続ボルト３２Ａを挿入するための配設接続ボルト孔３２Ｂが設けられている。配設接続ボルト孔３２Ｂは、例えば、伸長部２１の伸長方向に伸長して、すなわち、配設部材接続部３２の伸長方向に伸長して形成され、伸長方向の長さが幅方向の長さよりも長くなるように形成されていることが好ましい。これにより、伸長部２１に対する支持部材１０の配設位置を微調整することができるようになっている。配設部材接続部３２は、例えば、伸長部２１の側部に対向して配設し、配設接続ボルト３２Ａと配設接続ナット３２Ｃで固定することにより、配設部材２０に取り付けられるようになっている。
【００２３】
排水管取付金具１は、また、支持部材１０と接続部材３０との接続を補助する楔形の補助部材４０を備えていることが好ましい。補助部材４０は、幅が広い方を突片１３の先端側に対応させ、幅が狭い方を突片１３の基端側に対応させて配設される。補助部材４０は、例えば、図１に示したように、突片１３の一方の外側面に当接させて配設し、突片１３の他方の外側面には接続部材３０の支持部材接続部３１の一方の面を当接させて配設することが好ましい。また、例えば、図５に示したように、補助部材４０を突片１３と支持部材接続部３１との間に挿入し、一方の突片１３の外側面及び支持部材接続部３１の一方の面にそれぞれ当接させて配設するようにしてもよい。
【００２４】
このように楔形の補助部材４０を重ね合わせることにより、突片１３と支持部材接続部３１との接続固定部分は、突片３、支持部材接続部３１、及び、補助部材４０が互いに面接合し、重ね合わせ方向の両端面を略平行とすることができるので強固に固定することができる。なお、楔形とは、一端が広く他端にむかうにしたがって狭くなるような形である。補助部材４０の広い方の幅と狭い方の幅との差、すなわち傾斜角度は、突片１３と支持部材接続部３１と補助部材４０とを上述したように重ね合わせた時に、重ね合わせ方向の両端面が平行となるように調整することが好ましい。
【００２５】
また、補助部材４０は、例えば、図１又は図５に示したように、突片１３の外側面に当接させて配設することが好ましい。支持接続ボルト１４の挿入方向を支持部材接続部３１に対して略垂直とすることができ、より強固に固定することができるからである。更に、補助部材４０は、図１に示したように、突片１３を間に挟んで支持部材接続部３１と反対側に配設することが好ましい。突片１３に比べて支持部材接続部３１及び補助部材４０は、厚みを厚くすることができ、強度を高くすることができるので、締め付けた時の変形が小さく、より強固に固定することができるからである。
【００２６】
補助部材４０には、支持ボルト孔１５に対応して２個の補助ボルト孔４１が設けられている。突片１３、支持部材接続部３１、及び、補助部材４０は、上述したように重ね合わせて、支持ボルト孔１５、支持接続ボルト孔３１Ａ、及び、補助ボルト孔４１に支持接続ボルト１４を貫通させることにより固定される。
【００２７】
この排水管取付金具１は、例えば、次のようにして用いられる。まず、配設部材２０の取付部２２をアンカーボルト２２Ｂにより高架橋２に固定する。次いで、支持部材１０の一対の緊締部１１を開き、間に排水管３を挟んで閉じる。続いて、突片１３と、支持部材接続部３１と、補助部材４０とを上述したように重ね合わせて、支持ボルト孔１５、支持接続ボルト孔３１Ａ、及び、補助ボルト孔４１に支持接続ボルト１４を挿入して固定する。その後、排水管３と高架橋２との間の距離に合わせて、配設部材２０の伸長部２１に対する配設部材接続部３２の固定位置を調節し、配設接続ボルト３２Ａ及び配設接続ナット３２Ｃにより固定する。これにより、排水管３と高架橋２との間の距離に合わせて、排水管２を固定することができる。
【００２８】
このように本実施の形態によれば、伸長部２１と取付部２２とを有する配設部材２０を備え、伸長部２１には、接続部材３０を固定するための伸長部開口２１Ａを伸長方向に沿って複数設け、伸長部開口２１Ａは伸長方向に伸長して形成するようにしたので、排水管３と高架橋２との間の距離に合わせて接続部材３０及び支持部材１０の位置を調整することができる。よって、取付場所により長さの異なる排水管取付金具１を用意する必要がなく、簡単に取り付けることができる。また、伸長部２１及び取付部２２の伸長方向に対して垂直方向の断面形状をＬ字状とするようにしたので、強度を向上させることができ、１本の配設部材２０で安定して配設することができる。よって、部品点数を削減することができ、取り付け作業を簡素化することができる。更に、配設部材２０に汎用のＬ型ブラケットを用いることができるので、費用を安価とすることができる。
【００２９】
加えて、楔形の補助部材４０を突片１３及び支持部材接続部３１と重ね合わせて支持接続ボルト１４で固定するようにしたので、突片１３と支持部材接続部３１との接続固定部分を面接合とすることができる。また、この接続固定部分の重ね合わせ方向の両端面を平行とすることができる。よって、突片１３と支持部材接続部３１とを支持接続ボルト１４により強固に固定することができる。
【００３０】
更にまた、突片１３の突出方向に支持ボルト孔１５を２個並べて設けるようにしたので、支持部材１０が接続部材３０に対して回転することを防止することができ、より強固に固定することができる。
【００３１】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００３２】
排水管の取り付けに用いることができる。
【符号の説明】
【００３３】
１…排水管取付金具、２…高架橋、３…排水管、１０…支持部材、１１…緊締部、１２…突状部、１３…突片、１４…支持接続ボルト、１５…支持ボルト孔、１６…支持接続ナット、２０…配設部材、２１…伸長部、２１Ａ…伸長部開口、２２…取付部、２２Ａ…取付部開口、２２Ｂ…アンカーボルト、３０…接続部材、３１…支持部材接続部、３１Ａ…支持接続ボルト孔、３２…配設部材接続部、３２Ａ…配設接続ボルト、３２Ｂ…配設接続ボルト孔、３２Ｃ…配設接続ナット、４０…補助部材、４１…補助ボルト孔
【図１】
0006653221.tif 000002
【図２】
0006653221.tif 000003
【図３】
0006653221.tif 000004
【図４】
0006653221.tif 000005
【図５】
0006653221.tif 000006
【図６】
0006653221.tif 000007